(57)【要約】      （修正有）【課題】取り出しやすいガムの包装容器を実現する。【解決手段】個別包装タイプの被包装製品を複数固直列に収納可能な直方体包装パッケージ１であって、連続する５つの筒壁が折り曲げられて、そのうちの両端に位置する前記筒壁同士が接着されることで、内部に前記被包装製品を内包する筒状部が形成され、前記筒壁のうち、中央に位置する中央筒壁１３の先端壁面部分上に、あけくち３０が連続して設けられ、前記中央筒壁と隣接する２つの前記筒壁との境界の折り曲げ部分に沿って破断しやすく形成された開封予定切り口５０が設けられ、前記あけくちを前記中央筒壁側に向けて引っ張ることで、前記開封予定切り口に沿って前記中央筒壁が破断され、前記中央筒壁全面が前記被包装製品を取り出し可能なように開放される。【選択図】図２
2016034856.tif 000002
【特許請求の範囲】
【請求項１】
個別包装タイプの被包装製品を複数固直列に収納可能な直方体包装パッケージであって、
連続する５つの筒壁が折り曲げられて、そのうちの両端に位置する前記筒壁同士が接着されることで、内部に前記被包装製品を内包する筒状部が形成され、
前記筒壁のうち、中央に位置する中央筒壁の先端壁面部分上に、あけくちが連続して設けられ、
前記中央筒壁と隣接する２つの前記筒壁との境界の折り曲げ部分に沿って破断しやすく形成された開封予定切り口が設けられ、
前記あけくちを前記中央筒壁側に向けて引っ張ることで、前記開封予定切り口に沿って前記中央筒壁が破断され、前記中央筒壁全面が前記被包装製品を取り出し可能なように開放される
ことを特徴とする直方体包装パッケージ。
【発明の詳細な説明】
【技術分野】
【０００１】
本発明は、ひと口サイズのブロック型形状のガム・キャンディ等の個別包装タイプの製品を、複数個直列に収納して構成される包装体の直方体形状包装パッケージに関するものである。
【背景技術】
【０００２】
ひと口サイズの個別包装されたブロック型形状のガム・キャンディ等の製品は、複数個を直列に並べて、直方体形状に包装された状態で収納されている。これらの直方体形状包装パッケージには、『あけくち』が付帯されており、それを引っ張り『あけくち』に付帯する帯状のカット用テープであるティアテープにより直方体形状包装パッケージ胴部を周回することで、容易に開封することができる。
【０００３】
従来から存在する『あけくち』を使用した直方体形状包装パッケージは、図３５に斜視図を示している。また、図３６ならびに図３７には、その展開図を示す。
【０００４】
図３５に示すように、従来から存在する『あけくち』３５を使用した直方体形状包装パッケージ１の開封方法は、『あけくち』３５に付帯する帯状のカット用テープであるティアテープ５５である横開封帯を用いて、直方体形状包装パッケージ胴部２を周回して開封する。このティアテープ５５は、図３６に示す展開図のように、直方体形状包装パッケージ１の内側を示す内部の製品６０を包み込む側の積層体シート材１０に貼られている。また、図３７に示す展開図は、図３５に示す従来から使用されている『あけくち』３５を有する直方体形状包装パッケージ１の外側を示し、図３６に示す積層体シート材１０の裏側の面を表す。
【０００５】
従来から存在する『あけくち』３５を使用した直方体形状包装パッケージ１は、図３５、図３８に示すように、『あけくち』３５から１０１方向へ開封して、それに付帯した帯状のカット用テープであるティアテープ５５部分を引っ張りながら直方体形状包装パッケージ胴部２を周回させれば、図３５、図３８に示すように、ティアテープ５５部分から先端壁面部分までの２５部分が、直方体形状包装パッケージ１の９部分から分離する。その後は、図３５、図３８に示す１０４方向へ直方体形状包装パッケージ１の外部筒壁部分を適宜破りながら進行し、内部の製品６０を取り出していくことになる。
【発明の概要】
【発明が解決しようとする課題】
【０００６】
従来タイプの『あけくち』３５と、それに付帯する帯状のカット用テープであるティアテープ５５による横開封帯は、板状形状のガム、キャンディ等を収納する直方体形状包装パッケージ１においては、図３９に示す１０５方向のように、『あけくち』３５から開封した切り口の断面９に対して上下方向に重ねた状態で収納される製品の場合、内部の製品６１を取り出すには、非常に便利かつ有効的である。ところが、図３８に示す１０５方向のように、ブロック型形状のガム、キャンディ等を収納する直方体形状包装パッケージ１においては、『あけくち』３５から開封した切り口の断面９に対して前後方向、すなわち内部の製品６０の並びに沿って前後方向に直列に並べられた状態で収納される製品の場合、開封口付近の数個は容易に取り出せるが、それより先の部分に関しては、開封口から開封された後の切り口９部分より直方体形状包装パッケージ１を徐々に破りながら開封口を広げていき、内部の製品６０を取り出さなければならない。
【０００７】
従来タイプの『あけくち』３５と、それに付帯する帯状のカット用テープであるティアテープ５５の横開封帯により開封された場合、図３５、図３８に示すように９部分からティアテープ５５より先端壁面部分までの２５部分が、直方体形状包装パッケージ胴部２から分離するため、この時点で確実に１回目のゴミが発生してしまう。さらに、開封口から内部の製品６０を取り出しやすいように、図３５、図３８に示す１０４方向へ直方体形状包装パッケージ胴部２本体を破りながら取り出していく必要があるため、不均等、不変則に剥き破られて破断された直方体形状包装パッケージ胴部２本体部分が、２回目以降のゴミとして、その都度複数回ばらばらに発生することになる。また、ゴミの発生点数は、内部の製品６０の消費の度合いや、直方体形状包装パッケージ胴部２本体部分の破り方等の取り扱い方法により大きく異なってくる。
【０００８】
その結果、使用開始後の直方体形状包装パッケージ１の見栄えも、内容物の消費に伴って次第に低下していく一方となる。
【課題を解決するための手段】
【０００９】
本発明は、上記課題を解決すべく、個別包装タイプの被包装製品を複数固直列に収納可能な直方体包装パッケージであって、連続する５つの筒壁が折り曲げられて、そのうちの両端に位置する前記筒壁同士が接着されることで、内部に前記被包装製品を内包する筒状部が形成され、前記筒壁のうち、中央に位置する中央筒壁の先端壁面部分上に、『あけくち』が連続して設けられ、前記中央筒壁と隣接する２つの前記筒壁との境界の折り曲げ部分に沿って破断しやすく形成された開封予定切り口が設けられ、前記『あけくち』を前記中央筒壁側に向けて引っ張ることで、前記開封予定切り口に沿って前記中央筒壁が破断され、前記中央筒壁全面が前記被包装製品を取り出し可能なように開放されることとした。
【発明の効果】
【００１０】
図１、図２、図５、図６、図７および図２９に示すように、本発明に係る『あけくち』３０と、それに付帯する帯状のカット用テープであるティアテープ５０の部分を、直方体形状包装パッケージ１の片側先端部分の壁面中央付近に、筒壁１３の面の全体に該当する幅を広げて配置した。これを、図１、図２、図２９に示すように、１０１方向へ直方体形状包装パッケージ１の本発明に係る『あけくち』３０側壁面上部まで上向きにめくり、本発明に係る『あけくち』３０を１０５方向へ必要に応じて徐々に引っ張り開封していく。図２９に示すように、１０５方向へ取り出したい箇所までめくって引っ張っていけば、その都度必要な数の製品ひと粒ひと粒を容易かつ合理的に取り出すことができる。
【００１１】
また、『あけくち』３０を引っ張っていくと、筒壁１３の部位が残存しないため、製品６０を取り出す際に、引っ掛かりがなくなり、円滑に引き抜いたり、押し出したりすることが可能となって、直方体形状包装パッケージ１からの取り出しが容易になる。
【００１２】
更には、このように筒壁１３の全面が開口される形状においては、ティアテープ５０の幅が広いため、ストッパーとして『あけくち』３０を製品６０の下側に巻き込むように操作する際も、操作性がよくまた、製品６０の幅全体に対して保持が可能になるため、容易に巻き込みを行うことができるようになる。
【００１３】
これにより、直方体形状包装パッケージ１のゴミの発生点数を抑えることができ、開封口の見栄えも向上する。
【００１４】
また、個別包装されたブロック型形状のガム・キャンディ等の内部の製品６０ひと粒ひと粒を、容易かつ均一に取り出せるようになる。
【００１５】
図３０に示すように、直方体形状包装パッケージ１の内部から製品６０を取り出す際に使用中の本発明に係る『あけくち』３０と、それに付帯する帯状のカット用テープであるティアテープ５０は、直方体形状包装パッケージ１の内部に残っている個別包装されたブロック型形状の製品底部６２と直方体形状包装パッケージ底部３の内側となる筒壁１１との隙間６５へ巻き込むことにより、内部に残された製品６０がばらばらに拡散することを防ぐことができるストッパー機能としての役割も果たす。
【００１６】
図３５、図３８に示すように、従来の開封方法として使用されている『あけくち』３５と、それに付帯する帯状のカット用テープであるティアテープ５５による横開封帯をまったく使用しないため、図２９に示すように、直方体形状包装パッケージ１の先端から終端に至るまで、１ステップで開封することが可能となる。
【００１７】
図２９に示すように、新開封方式直方体形状包装パッケージ１の最大の特徴は、開封開始地点となる本発明に係る『あけくち』３０と、それに付帯する帯状のカット用テープであるティアテープ５０を介して、直方体形状包装パッケージ１の内部の製品６０を取り出す際の開封口は、始点から終点（先端から終端）に至るまで、均一に同一幅できれいに破断することができ、破断途中で切断片や胴部２本体より分離する筒壁が発生しないため、直方体形状包装パッケージ１の内部の製品６０に使用された包み紙ならびにガム等の内容物以外のゴミの発生を抑止することができる点である。
【図面の簡単な説明】
【００１８】
【図１】本発明に係る『あけくち』３０と、それに付帯するティアテープ５０を有する直方体形状包装パッケージ１の完成を示す斜視図である。
【図２】図１と同じく、本発明に係る『あけくち』３０と、それに付帯するティアテープ５０を有する直方体形状包装パッケージ１の内部を透視した斜視図である。
【図３】図１および図２に示す直方体形状包装パッケージ１の６方向と反対側７方向から本発明に係る『あけくち』３０と、それに付帯するティアテープ５０を有する直方体形状包装パッケージ１の内部を透視した斜視図である。
【図４】図１および図２に示す直方体形状包装パッケージ１と同じ６方向より、直方体形状包装パッケージ１の上下を逆さまにして、本発明に係る『あけくち』３０と、それに付帯するティアテープ５０を有する直方体形状包装パッケージ１の内部を透視した斜視図である。
【図５】図１に示す本発明に係る『あけくち』３０と、それに付帯するティアテープ５０を有する直方体形状包装パッケージ１を形成する積層体シート材１０の内側（内部）の展開図である。
【図６】図５と同じく、本発明に係る『あけくち』３０と、それに付帯するティアテープ５０を有する直方体形状包装パッケージ１を形成する積層体シート材１０の外側（外部）の展開図である。
【図７】本発明に係る『あけくち』３０と、それに付帯するティアテープ５０を有する直方体形状包装パッケージ１の本発明に係る『あけくち』３０側壁面の図１、図２に示す６方向からの正面図である。
【図８】図７に示す本発明に係る『あけくち』３０側壁面と反対側壁面の直方体形状包装パッケージ１の図２、図３に示す７方向からの正面図である。
【図９】本発明に係る『あけくち』３０と、それに付帯するティアテープ５０を別方向へ移動させた場合、本発明に係る『あけくち』３１と、それに付帯するティアテープ５１を有する直方体形状包装パッケージ１の完成を示す内部を透視した斜視図である。
【図１０】本発明に係る『あけくち』３０と、それに付帯するティアテープ５０を別方向へ移動させた場合、図９に示す本発明に係る『あけくち』３１と、それに付帯するティアテープ５１を有する直方体形状包装パッケージ１を形成する積層体シート材１０の内側（内部）の展開図である。
【図１１】図１０と同じく、本発明に係る『あけくち』３１と、それに付帯するティアテープ５１を有する直方体形状包装パッケージ１を形成する積層体シート材１０の外側（外部）の展開図である。
【図１２】本発明に係る『あけくち』３０と、それに付帯するティアテープ５０を別方向へ移動させた場合、本発明に係る『あけくち』３１と、それに付帯するティアテープ５１を有する直方体形状包装パッケージ１の本発明に係る『あけくち』３１側壁面の図９に示す６方向からの正面図である。
【図１３】図１２に示す本発明に係る『あけくち』３１側壁面と反対側壁面の直方体形状包装パッケージ１の図９に示す７方向からの正面図である。
【図１４】本発明に係る『あけくち』３１と、それに付帯するティアテープ５１を図９に示す同じ壁面の対称となる反対側方向へ移動させた場合、本発明に係る『あけくち』３２と、それに付帯するティアテープ５２を有する直方体形状包装パッケージ１の完成を示す内部を透視した斜視図である。
【図１５】本発明に係る『あけくち』３０と、それに付帯するティアテープ５０を別方向へ移動させた場合、図１４に示す本発明に係る『あけくち』３２と、それに付帯するティアテープ５２を有する直方体形状包装パッケージ１を形成する積層体シート材１０の内側（内部）の展開図である。
【図１６】図１５と同じく、本発明に係る『あけくち』３２と、それに付帯するティアテープ５２を有する直方体形状包装パッケージ１を形成する積層体シート材１０の外側（外部）の展開図である。
【図１７】本発明に係る『あけくち』３０と、それに付帯するティアテープ５０を別方向へ移動させた場合、本発明に係る『あけくち』３２と、それに付帯するティアテープ５２を有する直方体形状包装パッケージ１の本発明に係る『あけくち』３２側壁面の図１４に示す６方向からの正面図である。
【図１８】図１７に示す本発明に係る『あけくち』３２側壁面と反対側壁面の直方体形状包装パッケージ１の図１４に示す７方向からの正面図である。
【図１９】本発明に係る『あけくち』３０と、それに付帯するティアテープ５０を別方向へ移動させた場合、本発明に係る『あけくち』３３と、それに付帯するティアテープ５３を有する直方体形状包装パッケージ１の完成を示す内部を透視した斜視図である。
【図２０】本発明に係る『あけくち』３０と、それに付帯するティアテープ５０を別方向へ移動させた場合、図１９に示す本発明に係る『あけくち』３３と、それに付帯するティアテープ５３を有する直方体形状包装パッケージ１を形成する積層体シート材１０の内側（内部）の展開図である。
【図２１】図２０と同じく、本発明に係る『あけくち』３３と、それに付帯するティアテープ５３を有する直方体形状包装パッケージ１を形成する積層体シート材１０の外側（外部）の展開図である。
【図２２】本発明に係る『あけくち』３０と、それに付帯するティアテープ５０を別方向へ移動させた場合、本発明に係る『あけくち』３３と、それに付帯するティアテープ５３を有する直方体形状包装パッケージ１の本発明に係る『あけくち』３３側壁面の図１９に示す６方向からの正面図である。
【図２３】図２２に示す本発明に係る『あけくち』３３側壁面と反対側壁面の直方体形状包装パッケージ１の図１９に示す７方向からの正面図である。
【図２４】本発明に係る『あけくち』３３と、それに付帯するティアテープ５３を図１９に示す同じ壁面の対称となる反対側方向へ移動させた場合、本発明に係る『あけくち』３４と、それに付帯するティアテープ５４を有する直方体形状包装パッケージ１の完成を示す内部を透視した斜視図である。
【図２５】本発明に係る『あけくち』３０と、それに付帯するティアテープ５０を別方向へ移動させた場合、図２４に示す本発明に係る『あけくち』３４と、それに付帯するティアテープ５４を有する直方体形状包装パッケージ１を形成する積層体シート材１０の内側（内部）の展開図である。
【図２６】図２５と同じく、本発明に係る『あけくち』３４と、それに付帯するティアテープ５４を有する直方体形状包装パッケージ１を形成する積層体シート材１０の外側（外部）の展開図である。
【図２７】本発明に係る『あけくち』３０と、それに付帯するティアテープ５０を別方向へ移動させた場合、本発明に係る『あけくち』３４と、それに付帯するティアテープ５４を有する直方体形状包装パッケージ１の本発明に係る『あけくち』３４側壁面の図２４に示す６方向からの正面図である。
【図２８】図２７に示す本発明に係る『あけくち』３４側壁面と反対側壁面の直方体形状包装パッケージ１の図２４に示す７方向からの正面図である。
【図２９】図１、図２、図７に示す本発明に係る『あけくち』３０より開封したカット用テープであるティアテープ５０を介した開封予定切り口８、８′のめくれた部分を表す開封時の直方体形状包装パッケージ１の内部を透視した斜視図である。
【図３０】図１、図２、図７に示す本発明に係る『あけくち』３０より開封したカット用テープであるティアテープ５０を介した開封予定切り口８、８′のめくれた部分をめくれた側と逆方向に折り返して、ストッパーとして使用する場合を表す直方体形状包装パッケージ１の内部を透視した斜視図である。
【図３１】図９、図１２ならびに図１９、図２２に示す本発明に係る『あけくち』３１ならびに本発明に係る『あけくち』３３より開封したカット用テープであるティアテープ５１ならびにティアテープ５３を介した開封予定切り口８、８′のめくれた部分を表す開封時の直方体形状包装パッケージ１の内部を透視した斜視図である。
【図３２】図９、図１２ならびに図１９、図２２に示す本発明に係る『あけくち』３１ならびに本発明に係る『あけくち』３３より開封したカット用テープであるティアテープ５１ならびにティアテープ５３を介した開封予定切り口８、８′のめくれた部分をめくれた側と逆方向に折り返して、ストッパーとして使用する場合を表す直方体形状包装パッケージ１の内部を透視した斜視図である。
【図３３】図１４、図１７ならびに図２４、図２７に示す本発明に係る『あけくち』３２ならびに本発明に係る『あけくち』３４より開封したカット用テープであるティアテープ５２ならびにティアテープ５４を介した開封予定切り口８、８′のめくれた部分を表す開封時の直方体形状包装パッケージ１の内部を透視した斜視図である。
【図３４】図１４、図１７ならびに図２４、図２７に示す本発明に係る『あけくち』３２ならびに本発明に係る『あけくち』３４より開封したカット用テープであるティアテープ５２ならびにティアテープ５４を介した開封予定切り口８、８′のめくれた部分をめくれた側と逆方向に折り返して、ストッパーとして使用する場合を表す直方体形状包装パッケージ１の内部を透視した斜視図である。
【図３５】従来から使用されている『あけくち』３５と、それに付帯するティアテープ５５により開封する直方体形状包装パッケージ１の内部を透視した斜視図である。
【図３６】図３５に示す従来から使用されている『あけくち』３５と、それに付帯するティアテープ５５により開封する直方体形状包装パッケージ１を形成する積層体シート材１０の内側（内部）の展開図である。
【図３７】図３５に示す従来から使用されている『あけくち』３５と、それに付帯するティアテープ５５により開封する直方体形状包装パッケージ１を形成する積層体シート材１０の外側（外部）の展開図である。
【図３８】従来から使用されている『あけくち』３５と、それに付帯するティアテープ５５を有する直方体形状包装パッケージ１に包装されたブロック型形状の内部の製品６０の配列状態を表し、内部を透視した斜視図である。
【図３９】従来から使用されている『あけくち』３５と、それに付帯するティアテープ５５を有する直方体形状包装パッケージ１に包装された板状形状の内部の製品６１の配列状態を表し、内部を透視した斜視図である。
【発明を実施するための形態】
【００１９】
以下、本発明の実施例について、図面を参照して詳細に説明する。
【００２０】
図１は、本発明に係る新開封方式直方体形状包装パッケージ１の実施例を示す斜視図である。
【００２１】
図１に示されるように、直方体形状包装パッケージ１は、断面が長方形をした角筒状の胴部２を有する直方体形状を成している。胴部２の片側先端部分の壁面中央付近には、直方体形状包装パッケージ１の内部の製品６０を開封して取り出すための本発明に係る『あけくち』３０を備えている。
【００２２】
直方体形状包装パッケージ１は、図５および図６にその展開図を示す積層体シート材１０により、製品を包み込むように包装する。この積層体シート材１０は、４つの筒壁１１、１２、１３、１４と接着片１５が折線Ａ、Ｂ、Ｃ、Ｄを介して横方向に連設している。
【００２３】
図５に示す筒壁１１のｇ線部分までがのりしろで、筒壁１１のｇ線と接着片１５の端をそろえて貼り合わせ、図４に示す筒壁２４を形成する。正確には、図６に示す筒壁１１のｇ′までのり付けされ、この部分に、図６に示す接着片１５の裏面、すなわち図５に示す接着片１５と貼り合わす。
【００２４】
次に、図１、図２に示す本発明に係る『あけくち』３０側を正面の６方向から見て、図５に示す１６ｂと１６ｂ′を貼り合わせた部分が１６となる。この１６を先に上方向に折り込み、続いて１７を下方向へ１６の上にかぶさるように折り込み、貼り合わせる。
【００２５】
次に、１６と１７を貼り合わせた際に生じる余りの部分を、三角形となるように折り曲げ形成された１８と１９を、１６と１７を貼り合わせた壁面の上に貼り合わせ、図１、図２、図７に示す本発明に係る『あけくち』３０側の６方向側の先端部分の壁面が完成する。
【００２６】
同様に、図１、図２、図３に示す本発明に係る『あけくち』３０側と反対側正面の７方向から見て、図５に示す２０ａと２０ａ′を貼り合わせた部分が２０となる。この２０を先に上方向に折り込み、続いて２１を下方向へ２０の上にかぶさるように折り込み、貼り合わせる。
【００２７】
次に、２０と２１を貼り合わせた際に生じる余りの部分を、三角形となるように折り曲げ形成された２２と２３を、２０と２１を貼り合わせた壁面の上に貼り合わせ、図３、図８に示す本発明に係る『あけくち』３０側の反対側にあたる７方向側の先端部分の壁面が完成する。
【００２８】
図３、図５、図６、図８に示す４０の部分は、図１、図２、図５、図６、図７に示す１７部分にある本発明に係る『あけくち』３０のツマミとなる半円状の突起部分の形成過程で生じる、本発明に係る『あけくち』３０側の１７部分と反対側の２１部分に発生する凹みである。
【００２９】
図５に示す展開図は、図１、図２に示す本発明に係る『あけくち』３０と、それに付帯するティアテープ５０を有する直方体形状包装パッケージ１の内側（内部）で製品を包み込む側を表す積層体シート材１０で、Ａ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐ、Ｑ、Ｒ、Ｓ、Ｔ、Ｕ、Ｖは、すべて折線を表し、谷折りとなる。Ｗ１、Ｗ２、Ｘ１、Ｘ２、Ｙ１、Ｙ２、Ｚ１、Ｚ２は、すべて折線を表し、山折りとなる。
【００３０】
図６に示す展開図は、図１、図２に示す本発明に係る『あけくち』３０と、それに付帯するティアテープ５０を有する直方体形状包装パッケージ１の外側（外部）で図５に示す積層体シート材１０の裏側の面を表し、Ａ′、Ｂ′、Ｃ′、Ｄ′、Ｅ′、Ｆ′、Ｇ′、Ｈ′、Ｉ′、Ｊ′、Ｋ′、Ｌ′、Ｍ′、Ｎ′、Ｏ′、Ｐ′、Ｑ′、Ｒ′、Ｓ′、Ｔ′、Ｕ′、Ｖ′は、すべて折線を表し、山折りとなる。Ｗ′１、Ｗ′２、Ｘ′１、Ｘ′２、Ｙ′１、Ｙ′２、Ｚ′１、Ｚ′２は、すべて折線を表し、谷折りとなる。
【００３１】
開封途中で切れたり破れたりすること無く、更に切り口をきれいにカットすることが可能となり、直方体形状包装パッケージ１の内部の製品６０を容易に取り出せるようにするため、プラスチック製もしくはビニール製から成る帯状のカット用テープであるティアテープ５０を図５に示す。このティアテープ５０は、直方体形状包装パッケージ１内側の天井部分となる筒壁１３の裏側部分へ、図１、図２、図３に示す点線部分で帯状に表した開封予定切り口８、８′と同じ位置に貼り合わせたものである。本実施形態における、開封予定切り口８、８′は、図６におけるＺ′１、Ｙ′２に沿って形成されている。すなわち、『あけくち』３０を引っ張ると、開封予定切り口８、８′で直方体形状包装パッケージ１が切り取られるため、筒壁１３の面全体が開放される構成となっている。
【００３２】
直方体形状包装パッケージ１の内部から製品６０を取り出す際は、図１、図２、図７に示す本発明に係る『あけくち』３０と、それに付帯するティアテープ５０の部分を直方体形状包装パッケージ１の本発明に係る『あけくち』３０側壁面上方へ引っ張り上げる。その後、図２９に示すように、直方体形状包装パッケージ１から取り出したい個数分の長さ分だけ１０５方向へめくり、直方体形状包装パッケージ１の内部の製品６０を取り出す。
【００３３】
図１、図２の具体的な開封時の状態を表したものが、図２９に示した斜視図である。先端壁面部分にある本発明に係る『あけくち』３０と、それに付帯するティアテープ５０を１０１方向へ引っ張り、開封して直方体形状包装パッケージ１の内部の製品６０を取り出す。また、図９ならびに図１９の具体的な開封時の状態を表したものが、図３１に示した斜視図である。図１４ならびに図２４の具体的な開封時の状態を表したものが、図３３に示した斜視図である。
【００３４】
また、直方体形状包装パッケージ１の内部から製品６０を取り出す際にめくって使用中の本発明に係る『あけくち』３０と、それに付帯する帯状のカット用テープであるティアテープ５０部分は、図３０に示すように、本発明に係る『あけくち』３０と、それに付帯するティアテープ５０を１０２方向へ巻き返して直方体形状包装パッケージ１の内部の製品６０側へ折り曲げ、図２９に示すように、直方体形状包装パッケージ１の内部に残っている個別包装されたブロック型形状の製品底部６２と、図５に示す直方体形状包装パッケージ底部３の内側となる筒壁１１面との隙間６５へ巻き込むことにより、直方体形状包装パッケージ１の内部に残された製品６０がばらばらに拡散することを防止するストッパー機能としての役割も果たす。
【００３５】
図３２に示すように、本発明に係る『あけくち』３１ならびに本発明に係る『あけくち』３３を１０２方向へ巻き返して直方体形状包装パッケージ１の内部の製品６０側へ折り曲げ、図３１に示すように、直方体形状包装パッケージ１の内部に残っている個別包装されたブロック型形状の製品側部６３と、本発明に係る『あけくち』３１ならびに本発明に係る『あけくち』３３に付帯する帯状のカット用テープであるティアテープ５１ならびにティアテープ５３部分は、図１０ならびに図２０に示す直方体形状包装パッケージ側部４の内側となる筒壁１４面との隙間６５へ巻き込むことにより、直方体形状包装パッケージ１の内部に残された製品６０がばらばらに拡散することを防止するストッパー機能としての役割も果たす。
【００３６】
図３４に示すように、本発明に係る『あけくち』３２ならびに本発明に係る『あけくち』３４を１０２方向へ巻き返して、直方体形状包装パッケージ１の内部の製品６０側へ折り曲げ、図３３に示すように、直方体形状包装パッケージ１の内部に残っている個別包装されたブロック型形状の製品側部６４と、本発明に係る『あけくち』３２ならびに本発明に係る『あけくち』３４に付帯する帯状のカット用テープであるティアテープ５２ならびにティアテープ５４部分は、図１５ならびに図２５に示す直方体形状包装パッケージ側部５の内側となる筒壁１２面との隙間６５へ巻き込むことにより、直方体形状包装パッケージ１の内部に残された製品６０がばらばらに拡散することを防止する、ストッパー機能としての役割も果たす。
【００３７】
本発明に係る『あけくち』に付帯するプラスチック製もしくはビニール製から成る帯状のカット用テープであるティアテープを、ストッパーとして使用する際の具体的な方法と状態を表したものが、図１、図２に示す形態のものが図３０に示すものとなる。図９ならびに図１９に示す形態のものが図３２に示すものとなる。図１４ならびに図２４に示す形態のものが図３４に示すものとなる。
【００３８】
直方体形状包装パッケージ１の内部の製品６０の個数が残り少なくなってきた場合、図１、図２に示す形態のものは図３０に示すように、直方体形状包装パッケージ底部３全体を１０３方向へ、図９ならびに図１９に示す形態のものは図３２に示すように、直方体形状包装パッケージ側部４全体を１０３方向へ、図１４ならびに図２４に示す形態のものは図３４に示すように、直方体形状包装パッケージ側部５全体を１０３方向へそれぞれ折り込むことで、全体でカバーするように再閉鎖させることができ、直方体形状包装パッケージ１の内部の製品６０の包み紙ならびにガム等の内容物を除いて、外パッケージに関しては、細かなゴミも最後まで発生しない。
【００３９】
図５に示すプラスチック製もしくはビニール製から成る帯状のカット用テープであるティアテープ５０の横幅は、製品の種類、形状、大きさ、直方体形状包装パッケージ１に包装される製品６０の個数等に応じて、より細かくそれぞれの製品の状況に合った取り出しやすい切り口となるよう、横幅をその都度選択し、適宜変更して決定すればよい。また、図１０に示すティアテープ５１、図１５に示すティアテープ５２、図２０に示すティアテープ５３、図２５に示すティアテープ５４も同様である。
【００４０】
図１、図２に示す本発明に係る『あけくち』３０を図４に示す直方体形状包装パッケージ底部３の筒壁２４側への設置は、図５、図６に示すように、筒壁１１と接着片１５を貼り合わせた部分から成る筒壁２４は、開封部分が分厚くなり開封しにくくなるため、本発明に係る『あけくち』３０ならびにプラスチック製もしくはビニール製から成る帯状のカット用テープであるティアテープ５０の設置には適切ではない。
【００４１】
図1、図２、図７に示す本発明に係る『あけくち』３０の部分を、図１９、図２０、図２１に示す筒壁１２方向へ移動して、図１９、図２２に示すように、１８部分をそのまま本発明に係る『あけくち』３３として使用して、この部分へは接着、のり付け固定せず、１８部分の三角形の形状部分を本発明に係る『あけくち』３０の代わりに使用することで、本発明に係る『あけくち』３０を形成せず、図１９、図２２に示すように、１８部分を本発明に係る『あけくち』３３としてそのまま使用することが可能である。この時、プラスチック製もしくはビニール製から成る帯状のカット用テープであるティアテープ５０も筒壁１２方向へ移動して、図１９、図２０に示す位置となり、ティアテープ５３とする。
【００４２】
同様に、図１、図２、図７に示す本発明に係る『あけくち』３０部分を、図２４、図２５、図２６に示す筒壁１４方向へ移動して、図２４、図２７に示すように１９部分をそのまま本発明に係る『あけくち』３４として使用して、この部分へは接着、のり付け固定せず、１９部分の三角形の形状部分を本発明に係る『あけくち』３０の代わりに使用することで、本発明に係る『あけくち』３０を形成せず、図２４、図２７に示すように、１９部分を本発明に係る『あけくち』３４としてそのまま使用することが可能である。この時、プラスチック製もしくはビニール製から成る帯状のカット用テープであるティアテープ５０も筒壁１４方向へ移動して、図２４、図２５に示す位置となり、ティアテープ５４とする。
【００４３】
本発明に係る『あけくち』３３は、図１９、図２０、図２１に示すように筒壁１２に対しての開封口となり、本発明に係る『あけくち』３４は、図２４、図２５、図２６に示すように筒壁１４に対しての開封口となる。
【００４４】
本発明に係る『あけくち』３３ならびに本発明に係る『あけくち』３４をひと目見てわかりやすくするため、本発明に係る『あけくち』３３を図９、図１２に示すように本発明に係る『あけくち』３１、本発明に係る『あけくち』３４を図１４、図１７に示すように本発明に係る『あけくち』３２にそれぞれ形状を変更して使用することも可能である。
【００４５】
本発明に係る『あけくち』３１は、図９、図１０、図１１に示すように筒壁１２に対しての開封口となり、本発明に係る『あけくち』３２は、図１４、図１５、図１６に示すように筒壁１４に対しての開封口となる。
【００４６】
図１９、図２２に示す本発明に係る『あけくち』３３部分をわかりやすいように、丸型にカットして本発明に係る『あけくち』３１を形成する場合、図１０および図１１に示すように、積層体シート材１０の４１部分のみをカットする。この本発明に係る『あけくち』３１部分の形成時に、４１部分をカットする際には、本発明に係る『あけくち』３１側と反対側２３部分の凹みは発生しない。
【００４７】
図９、図１２に示す本発明に係る『あけくち』３１を形成する場合、図１０の４１部分を先にカットしてのり付け形成する方法と、図１９、図２２、図２４に示す１８部分をのり付け形成後に、筒壁１２から延びる１８部分と、図１９、図２２、図２４に示す直方体形状包装パッケージ１を６方向から見た１６と１７をはり合わせた壁面とをのり付け固定せず、形成後の三角形である１８部分をそのまま丸型に打ち抜く方法で本発明に係る『あけくち』３１を形成する方法がある。
【００４８】
同様に、図２４、図２７に示す本発明に係る『あけくち』３４部分をわかりやすいように、丸型にカットして本発明に係る『あけくち』３２を形成する場合、図１５および図１６に示すように、積層体シート材１０の４２部分のみをカットする。この本発明に係る『あけくち』３２部分の形成時に、４２部分をカットする際には、本発明に係る『あけくち』３２側と反対側２２部分の凹みは発生しない。
【００４９】
図１４、図１７に示す本発明に係る『あけくち』３２を形成する場合、図１５に示す４２部分を先にカットしてのり付け形成する方法と、図１９、図２４、図２７に示す１９部分をのり付け形成後に、筒壁１４から延びる１９部分と、図１９、図２４、図２７に示す直方体形状包装パッケージ１を６方向から見た１６と１７をはり合わせた壁面とをのり付け固定せず、形成後の三角形である１９部分をそのまま丸型に打ち抜く方法で本発明に係る『あけくち』３２を形成する方法がある。
【００５０】
図２０に示す展開図は、図１９、図２２に示す本発明に係る『あけくち』３３と、それに付帯するティアテープ５３を有する直方体形状包装パッケージ１の内側（内部）で製品を包み込む側を表す積層体シート材１０で、ａ、ｂ、ｃ、ｄ、ｅ、ｆ、ｇ、ｈ、ｉ、ｊ、ｋ、ｌ、ｍ、ｎ、ｏ、ｐ、ｑ、ｒ、ｓ、ｔ、ｕ、ｖは、すべて折線を表し、谷折りとなる。ｗ１、ｗ２、ｘ１、ｘ２、ｙ１、ｙ２、ｚ１、ｚ２は、すべて折線を表し、山折りとなる。
【００５１】
図２１に示す展開図は、本発明に係る『あけくち』３３と、それに付帯するティアテープ５３を有する直方体形状包装パッケージ１の外側（外部）で図２０に示す積層体シート材１０の裏側の面を表し、ａ′、ｂ′、ｃ′、ｄ′、ｅ′、ｆ′、ｇ′、ｈ′、ｉ′、ｊ′、ｋ′、ｌ′、ｍ′、ｎ′、ｏ′、ｐ′、ｑ′、ｒ′、ｓ′、ｔ′、ｕ′、ｖ′は、すべて折線を表し、山折りとなる。ｗ′１、ｗ′２、ｘ′１、ｘ′２、ｙ′１、ｙ′２、ｚ′１、ｚ′２は、すべて折線を表し、谷折りとなる。
【００５２】
図２５に示す展開図は、図２４、図２７に示す本発明に係る『あけくち』３４と、それに付帯するティアテープ５４を有する直方体形状包装パッケージ１の内側（内部）で製品を包み込む側を表す積層体シート材１０で、ａ、ｂ、ｃ、ｄ、ｅ、ｆ、ｇ、ｈ、ｉ、ｊ、ｋ、ｌ、ｍ、ｎ、ｏ、ｐ、ｑ、r、ｓ、ｔ、ｕ、ｖは、すべて折線を表し、谷折りとなる。ｗ１、ｗ２、ｘ１、ｘ２、ｙ１、ｙ２、ｚ１、ｚ２は、すべて折線を表し、山折りとなる。
【００５３】
図２６に示す展開図は、本発明に係る『あけくち』３４と、それに付帯するティアテープ５４を有する直方体形状包装パッケージ１の外側（外部）で図２５に示す積層体シート材１０の裏側の面を表し、ａ′、ｂ′、ｃ′、ｄ′、ｅ′、ｆ′、ｇ′、ｈ′、ｉ′、ｊ′、ｋ′、ｌ′、ｍ′、ｎ′、ｏ′、ｐ′、ｑ′、ｒ′、ｓ′、ｔ′、ｕ′、ｖ′は、すべて折線を表し、山折りとなる。ｗ′１、ｗ′２、ｘ′１、ｘ′２、ｙ′１、ｙ′２、ｚ′１、ｚ′２は、すべて折線を表し、谷折りとなる。
【００５４】
図１０に示す展開図は、図９、図１２に示す本発明に係る『あけくち』３１と、それに付帯するティアテープ５１を有する直方体形状包装パッケージ１の内側（内部）で製品を包み込む側を表す積層体シート材１０で、ａ、ｂ、ｃ、ｄ、ｅ、ｆ、ｇ、ｈ、ｉ、ｊ、ｋ、ｌ、ｍ、ｎ、ｏ、ｐ、ｑ、ｒ、ｓ、ｔ、ｕ、ｖは、すべて折線を表し、谷折りとなる。ｗ１、ｗ２、ｘ１、ｘ２、ｙ１、ｙ２、ｚ１、ｚ２は、すべて折線を表し、山折りとなる。
【００５５】
図１１に示す展開図は、本発明に係る『あけくち』３１と、それに付帯するティアテープ５１を有する直方体形状包装パッケージ１の外側（外部）で図１０に示す積層体シート材１０の裏側の面を表し、ａ′、ｂ′、ｃ′、ｄ′、ｅ′、ｆ′、ｇ′、ｈ′、ｉ′、ｊ′、ｋ′、ｌ′、ｍ′、ｎ′、ｏ′、ｐ′、ｑ′、ｒ′、ｓ′、ｔ′、ｕ′、ｖ′は、すべて折線を表し、山折りとなる。ｗ′１、ｗ′２、ｘ′１、ｘ′２、ｙ′１、ｙ′２、ｚ′１、ｚ′２は、すべて折線を表し、谷折りとなる。
【００５６】
図１５に示す展開図は、図１４、図１７に示す本発明に係る『あけくち』３２と、それに付帯するティアテープ５２を有する直方体形状包装パッケージ１の内側（内部）で製品を包み込む側を表す積層体シート材１０で、ａ、ｂ、ｃ、ｄ、ｅ、ｆ、ｇ、ｈ、ｉ、ｊ、ｋ、ｌ、ｍ、ｎ、ｏ、ｐ、ｑ、ｒ、ｓ、ｔ、ｕ、ｖは、すべて折線を表し、谷折りとなる。ｗ１、ｗ２、ｘ１、ｘ２、ｙ１、ｙ２、ｚ１、ｚ２は、すべて折線を表し、山折りとなる。
【００５７】
図１６に示す展開図は、本発明に係る『あけくち』３２と、それに付帯するティアテープ５２を有する直方体形状包装パッケージ１の外側（外部）で図１５に示す積層体シート材１０の裏側の面を表し、ａ′、ｂ′、ｃ′、ｄ′、ｅ′、ｆ′、ｇ′、ｈ′、ｉ′、ｊ′、ｋ′、ｌ′、ｍ′、ｎ′、ｏ′、ｐ′、ｑ′、ｒ′、ｓ′、ｔ′、ｕ′、ｖ′は、すべて折線を表し、山折りとなる。ｗ′１、ｗ′２、ｘ′１、ｘ′２、ｙ′１、ｙ′２、ｚ′１、ｚ′２は、すべて折線を表し、谷折りとなる。
【符号の説明】
【００５８】
１  直方体形状包装パッケージ本体
２  直方体形状包装パッケージ胴部
３  直方体形状包装パッケージ底部
４  直方体形状包装パッケージ側部
５  直方体形状包装パッケージ側部
６  本発明に係る新開封方式の『あけくち』側壁面の正面方向
７  本発明に係る新開封方式の『あけくち』側壁面と反対側壁面の正面方向
８  本発明に係る新開封方式の『あけくち』に付帯する帯状のカット用テープであるティアテープを縦開封帯として内部の製品を取り出していくための切目列となる開封予定切り口の片側部分
８′  本発明に係る新開封方式の『あけくち』に付帯する帯状のカット用テープであるティアテープを縦開封帯として内部の製品を取り出していくための切目列となる開封予定切り口の片側部分
９  従来タイプの『あけくち』３５に付帯する帯状のカット用テープであるティアテープ５５により直方体形状包装パッケージ１を開封した場合、胴部２とティアテープ５５から先端壁面部分までが分離する箇所で、切り口断面の開封口となる部分
１０  積層体シート材
１１  積層体シート材１０を折り曲げて組み立てた際、筒壁１１となる部分
１２  積層体シート材１０を折り曲げて組み立てた際、筒壁１２となる部分
１３  積層体シート材１０を折り曲げて組み立てた際、筒壁１３となる部分
１４  積層体シート材１０を折り曲げて組み立てた際、筒壁１４となる部分
１５  積層体シート材１０を折り曲げて組み立てた際、筒壁１１と貼り合わせ、筒壁２４を形成するための接着片
１６  １６ｂと１６ｂ′を貼り合わせ、本発明に係る新開封方式の『あけくち』側の壁面下段側を形成するための片側部分
１７  １６の上方よりかぶさるように貼り合わせ、本発明に係る新開封方式の『あけくち』側の壁面上段側を形成するための片側部分
１８  １６と１７を貼り合わせた際に生じる余りの部分を三角形となるよう折り曲げ形成された部分
１９  １６と１７を貼り合わせた際に生じる余りの部分を三角形となるよう折り曲げ形成された部分で、１８と対にできる同じ壁面の向かい側対称部分
２０  ２０ａと２０ａ′を貼り合わせ、本発明に係る新開封方式の『あけくち』側と反対側の壁面下段側を形成するための片側部分
２１  ２０の上方よりかぶさるように貼り合わせ、本発明に係る新開封方式の『あけくち』側と反対側の壁面上段側を形成するための片側部分
２２  ２０と２１を貼り合わせた際に生じる余りの部分を三角形となるよう折り曲げ形成された部分
２３  ２０と２１貼り合わせた際に生じる余りの部分を三角形となるよう折り曲げ形成された部分で、２２と対にできる同じ壁面の向かい側対称部分
２４  筒壁１１と接着片１５を貼り合わせた際にできる胴部２の筒壁
２５  従来タイプの開封方式の『あけくち』３５に付帯するに付帯する帯状のカット用テープであるティアテープ５５により直方体形状包装パッケージ１を開封した場合、胴部２から分離するティアテープ５５から先端壁面までの胴部
３０  本発明に係る新開封方式の『あけくち』３０
３１  直方体形状包装パッケージ１上部、筒壁１３の開封口となる本発明に係る新開封方式の『あけくち』３０を筒壁１２の面が開封口となるように移動した本発明に係る新開封方式の『あけくち』３１
３２  直方体形状包装パッケージ１上部、筒壁１３の開封口となる本発明に係る新開封方式の『あけくち』３０を筒壁１４の面が開封口となるように移動した本発明に係る新開封方式の『あけくち』３２
３３  直方体形状包装パッケージ１上部、筒壁１３の開封口となる本発明に係る新開封方式の『あけくち』３０を筒壁１２の面が開封口となるように移動した本発明に係る新開封方式の『あけくち』３３
３４  直方体形状包装パッケージ１上部、筒壁１３の開封口となる本発明に係る新開封方式の『あけくち』３０を筒壁１４の面が開封口となるように移動した本発明に係る新開封方式の『あけくち』３４
３５  従来タイプの開封方式の『あけくち』３５
４０  本発明に係る新開封方式の『あけくち』３０のツマミとなる半円状の突起部分の形成過程で生じた本発明に係る新開封方式の『あけくち』３０側の１７部分と反対側の２１部分に発生する凹み部分
４１  本発明に係る新開封方式の『あけくち』３１を形成するためにカットされる部分
４２  本発明に係る新開封方式の『あけくち』３２を形成するためにカットされる部分
４３  『あけくち』３５のツマミとなる半円状の突起部分の形成過程で生じる、『あけくち』３５と反対側部分に発生するへこみ部分
５０  本発明に係る新開封方式の『あけくち』３０からの開封を円滑に、途中で切れることなく、見た目も美しく均等に開封するため、本発明に係る新開封方式の『あけくち』３０の場合に設けるプラスチック製もしくはビニール製から成る縦開封帯となる帯状のカット用テープであるティアテープ
５１  本発明に係る新開封方式の『あけくち』３１からの開封を円滑に、途中で切れることなく、見た目も美しく均等に開封するため、本発明に係る新開封方式の『あけくち』３１の場合に設けるプラスチック製もしくはビニール製から成る縦開封帯となる帯状のカット用テープであるティアテープ
５２  本発明に係る新開封方式の『あけくち』３２からの開封を円滑に、途中で切れることなく、見た目も美しく均等に開封するため、本発明に係る新開封方式の『あけくち』３２の場合に設けるプラスチック製もしくはビニール製から成る縦開封帯となる帯状のカット用テープであるティアテープ
５３  本発明に係る新開封方式の『あけくち』３３からの開封を円滑に、途中で切れることなく、見た目も美しく均等に開封するため、本発明に係る新開封方式の『あけくち』３３の場合に設けるプラスチック製もしくはビニール製から成る縦開封帯となる帯状のカット用テープであるティアテープ
５４  本発明に係る新開封方式の『あけくち』３４からの開封を円滑に、途中で切れることなく、見た目も美しく均等に開封するため、本発明に係る新開封方式の『あけくち』３４の場合に設けるプラスチック製もしくはビニール製から成る縦開封帯となる帯状のカット用テープであるティアテープ
５５  従来タイプの開封方式の『あけくち』３５からの開封を円滑に、途中で切れることなく、見た目も美しく均等に開封するため、『あけくち』３５の場合に設けるプラスチック製もしくはビニール製から成る横開封帯となる帯状のカット用テープであるティアテープ
６０  直方体形状包装パッケージ１収納のブロック型形状をした内部の製品
６１  直方体形状包装パッケージ１収納の板状形状をした内部の製品
６２  内部の製品６０底部
６３  内部の製品６０側部
６４  内部の製品６０側部
６５  直方体形状包装パッケージ１と内部の製品６０との隙間
１０１  直方体形状包装パッケージ１開封方向
１０２  本発明に係る新開封方式の『あけくち』を巻き返して内部の製品６０側へ折り曲げる方向
１０３  直方体形状包装パッケージ１の内部の製品６０が少なくなってきた場合、直方体形状包装パッケージ底部３全体を折り込み再閉鎖させて、直方体形状包装パッケージ胴部２を閉じる方向
１０４  直方体形状包装パッケージ１収納の内部の製品６０が少なくなってきた場合、直方体形状包装パッケージ胴部２を破りながら進行する方向
１０５  直方体形状包装パッケージ１収納の内部の製品６０、６１の配列方向
Ａ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐ、Ｑ、Ｒ、Ｓ、Ｔ、Ｕ、Ｖ  すべて折線を表して谷折り
Ｗ１、Ｗ２、Ｘ１、Ｘ２、Ｙ１、Ｙ２、Ｚ１、Ｚ２  すべて折線を表して山折り
Ａ′、Ｂ′、Ｃ′、Ｄ′、Ｅ′、Ｆ′、Ｇ′、Ｈ′、Ｉ′、Ｊ′、Ｋ′、Ｌ′、Ｍ′、Ｎ′、Ｏ′、Ｐ′、Ｑ′、Ｒ′、Ｓ′、Ｔ′、Ｕ′、Ｖ′  すべて折線を表して山折り
Ｗ′１、Ｗ′２、Ｘ′１、Ｘ′２、Ｙ′１、Ｙ′２、Ｚ′１、Ｚ′２  すべて折線を表して谷折り
ａ、ｂ、ｃ、ｄ、ｅ、ｆ、ｇ、ｈ、ｉ、ｊ、ｋ、ｌ、ｍ、ｎ、ｏ、ｐ、ｑ、ｒ、ｓ、ｔ、ｕ、ｖ  すべて折線を表して谷折り
ｗ１、ｗ２、ｘ１、ｘ２、ｙ１、ｙ２、ｚ１、ｚ２  すべて折線を表して山折り
ａ′、ｂ′、ｃ′、ｄ′、ｅ′、ｆ′、ｇ′、ｈ′、ｉ′、ｊ′、ｋ′、ｌ′、ｍ′、ｎ′、ｏ′、ｐ′、ｑ′、ｒ′、ｓ′、ｔ′、ｕ′、ｖ′  すべて折線を表して山折り
ｗ′１、ｗ′２、ｘ′１、ｘ′２、ｙ′１、ｙ′２、ｚ′１、ｚ′２  すべて折線を表して谷折り
図５に示す筒壁１１のｇ    ｇ′の裏側部分
図６に示す筒壁１１のｇ′  筒壁１１と接着片１５を貼り合わせる際、のりしろ境界部分（図６に示す接着片１５の裏面端と、ｇ′の境界部分を合わせ接着）
図１０、図１５に示す筒壁１１のＧ    Ｇ′の裏側部分
図１１、図１６に示す筒壁１１のＧ′  筒壁１１と接着片１５を貼り合わせる際、のりしろ境界部分（図１６に示す接着片１５の裏面端と、Ｇ′の境界部分を合わせ接着）
【図１】
2016034856.tif 000003
【図２】
2016034856.tif 000004
【図３】
2016034856.tif 000005
【図４】
2016034856.tif 000006
【図５】
2016034856.tif 000007
【図６】
2016034856.tif 000008
【図７】
2016034856.tif 000009
【図８】
2016034856.tif 000010
【図９】
2016034856.tif 000011
【図１０】
2016034856.tif 000012
【図１１】
2016034856.tif 000013
【図１２】
2016034856.tif 000014
【図１３】
2016034856.tif 000015
【図１４】
2016034856.tif 000016
【図１５】
2016034856.tif 000017
【図１６】
2016034856.tif 000018
【図１７】
2016034856.tif 000019
【図１８】
2016034856.tif 000020
【図１９】
2016034856.tif 000021
【図２０】
2016034856.tif 000022
【図２１】
2016034856.tif 000023
【図２２】
2016034856.tif 000024
【図２３】
2016034856.tif 000025
【図２４】
2016034856.tif 000026
【図２５】
2016034856.tif 000027
【図２６】
2016034856.tif 000028
【図２７】
2016034856.tif 000029
【図２８】
2016034856.tif 000030
【図２９】
2016034856.tif 000031
【図３０】
2016034856.tif 000032
【図３１】
2016034856.tif 000033
【図３２】
2016034856.tif 000034
【図３３】
2016034856.tif 000035
【図３４】
2016034856.tif 000036
【図３５】
2016034856.tif 000037
【図３６】
2016034856.tif 000038
【図３７】
2016034856.tif 000039
【図３８】
2016034856.tif 000040
【図３９】
2016034856.tif 000041